(57)【特許請求の範囲】
【請求項１】
航空機のためのトレイテーブルであって、
（ａ）頂面と、前記頂面と離間する底面と、を有する３次元格子パネル構造体であって、
多数の穴が、前記頂面に設けられており、
多数の穴が、前記底面に設けられており、
前記頂面の前記多数の穴は、前記底面の前記多数の穴と交差して、ボイドと点在する支持柱を形成するように、前記底面の前記多数の穴と相互にオフセットしており、
前記支持柱は、前記頂面に設けられている前記穴及び前記底面に設けられている前記穴の両方によって囲まれていない領域において、前記パネル構造体の前記頂面と前記底面とを連結している、
前記３次元格子パネル構造体と、
（ｂ）前記トレイテーブルの後方に着座した乗客に支持面を提供するために、前記パネル構造体の前記頂面上に設けられる無孔カバーと、
（ｃ）前記３次元パネル構造体を、前記後方に着座した乗客の前方に配置されたシートに取り付けるために、前記パネル構造体に取り付けられている一対のアームと、
を備える、トレイテーブル。
【請求項２】
前記パネル構造体の前記底面を収容する無孔カバーを備える、請求項１に記載のトレイテーブル。
【請求項３】
（ａ）前記頂面の前記多数の穴は円形であり、
（ｂ）前記底面の前記多数の穴は円形であり、
（ｃ）前記支持柱は、断面において、前記パネル構造体の前記頂面に形成された前記穴及び前記パネル構造体の前記底面に形成された前記穴の円弧状の部分の形状及び位置に対応する円弧状の壁セグメントを画定する、請求項１に記載のトレイテーブル。
【請求項４】
前記支持柱は、断面において、前記パネル構造体の前記頂面に形成された前記穴及び前記パネル構造体の前記底面に形成された前記穴の一部の形状及び位置に対応する壁セグメントを画定する、請求項１に記載のトレイテーブル。
【請求項５】
前記頂面の前記多数の穴及び前記底面の多数の穴は、円形穴、矩形穴、及び、六角形穴からなる群より選択される、請求項１または４に記載のトレイテーブル。
【請求項６】
前記頂面の前記多数の穴及び前記底面の多数の穴は、同じ形状及び大きさである、１または４に記載のトレイテーブル。
【請求項７】
前記パネル構造体は、一体的に形成される、請求項１または４に記載のトレイテーブル。
【請求項８】
前記複数の支持柱のそれぞれは、離間しており、
前記複数の支持柱は、前記パネル構造体の前記頂面に形成された前記穴及び前記パネル構造体の前記底面に形成された前記穴の周縁部に配置されている、請求項４に記載のトレイテーブル。
【請求項９】
前記パネル構造体の前記頂面に形成された前記穴、及び、前記パネル構造体の前記底面に形成された前記穴は、それぞれ、頂部パネル中間部分及び底部パネル中間部分を画定し、
前記頂部パネル中間部分は、前記パネル構造体の前記頂面に形成された前記穴を互いに分離し、前記底部パネル中間部分は、前記パネル構造体の前記底部に形成された前記穴を互いに分離し、
前記複数の支持柱は、さらに、中間ボイドを画定し、前記中間ボイドによって前記パネル構造体の前記頂面に形成された前記穴と前記パネル構造体の前記底面に形成された前記穴とが互いに連通する、請求項４に記載のトレイテーブル。
【請求項１０】
トレイテーブルを形成する方法であって、
格子パネル構造体であって、前記パネル構造体の頂面に複数の第１開口と、前記パネル構造体の底面に複数の第２開口と、前記パネル構造体の前記頂面と前記底面を連結する複数の支持柱と、を備える前記格子パネル構造体を形成するステップと、
前記パネル構造体の前記頂面を無孔カバーで覆うステップと、
を備え、
前記複数の支持柱は、前記頂面及び前記底面に対して垂直であり、
前記複数の第１開口は、水平方向において、前記複数の第２開口とオフセットしており、
前記複数の支持柱は、前記複数の第１開口と前記複数の第２開口が重複していない領域に配置されている、
トレイテーブルを形成する方法。
【請求項１１】
前記頂面及び前記底面に前記穴を形成する前記ステップは、同じ形状及び大きさの穴を形成するステップを備える、請求項１０に記載の方法。
【請求項１２】
前記パネル構造体を形成する前記ステップは、前記パネル構造体を一体的に形成するステップを備える、請求項１０のいずれか一項に記載の方法。
【請求項１３】
前記パネル構造体を覆うステップは、接着剤で前記無孔カバーを前記パネル構造体に取り付けるステップを備える、請求項１０に記載の方法。
【請求項１４】
前記トレイテーブルを形成する方法は、さらに、
前記パネル構造体の前記底面を第２の無孔カバーで覆うステップを備える、請求項１０に記載の方法。
【発明の詳細な説明】
【技術分野】
【０００１】
本発明は、機械加工、射出成形、鋳造又は３Ｄ印刷などの両面若しくはスプリット延伸製造法により均質材料から作製された３次元格子構造を有する軽量パネル構造体、及び、そのようなパネルの製造方法に関する。このような３次元構造は、多くの場合、原子及び分子の規則的な周期的配列から形成される化学構造に関連付けられる。一方で、２次元格子は、多くの場合、四角形又は菱形の空間を間に残して細長いきれを互いに交差させる構造又はパターンに関連付けられる。本発明の種々の態様による３次元格子パネルは、軽量及び剛性性能を要するトレイテーブルなどの構成要素、及び、他の構成要素に使用することができる。これらの構造体は、重量の低減が、燃料消費量の低減及び航空機の性能の向上に対して重要な要素である航空機において、特に有用である。
【背景技術】
【０００２】
この構造体は、両面の穴の一部のみが重なるように、一方の面のパターンが反対面からオフセットしている、両面に形成された２次元パターンの穴を特徴とする。これにより、機械加工ツールの方向又は射出成形の延伸方向に直交する一連の支持柱を残しながら、材料の除去を可能にする。この幾何学的形状によって形成された柱と薄い材料のセクションを組み合わせることにより、曲げ及びねじりの両方に対して剛性のある３次元格子構造が得られる。
【発明の概要】
【発明が解決しようとする課題】
【０００３】
従って、本発明の目的は、接合、溶接、又は、別の固定方法で固定される複合構造体の代わりに、単一の均質材料から作製され得る格子パネル構造体を提供することである。
【０００４】
本発明の別の目的は、複数の製造及び組立プロセスを要する代わりに、機械加工、射出成形、鋳造、又は、３Ｄ印刷などの単一のプロセスを用いて作製され得る格子パネル構造体を提供することである。
【０００５】
本発明の別の目的は、格子パネル構造体が単一の均質材料で構成されているために、正確に複製され得る機械的特性を持つ格子パネル構造体を提供することである。
【０００６】
本発明の別の目的は、いかなる接着剤の使用も要しない格子パネル構造体を提供することである。
【課題を解決するための手段】
【０００７】
本発明のこれら及び他の目的、及び、利点は、多数の相互にオフセットした穴がパネルの各離間した頂部及び底部に形成され、多数の相互にオフセットした穴は、相互にオフセットした穴によって囲まれていない領域において、パネルの頂部と底部とを相互に連結している点在する複数の支持柱と交差してボイドを形成する、３次元格子パネル構造体を提供することで達成される。
【０００８】
本発明の他の実施形態では、相互にオフセットした穴は、円形穴、矩形穴、及び、六角形穴からなる群より選択される。
【０００９】
本発明の他の実施形態では、相互にオフセットした穴は、同じ形状及び大きさである。
【００１０】
本発明の他の実施形態では、格子パネルは、一体的に形成される。
【００１１】
本発明の他の実施形態では、多数の相互にオフセットした穴がパネルの各離間した頂部及び底部に形成され、多数の相互にオフセットした穴は、相互にオフセットした穴によって囲まれていない領域において、パネルの頂部と底部とを相互に連結している点在する支持柱と交差してボイドを形成し、パネルを形成する３次元格子パネル構造体を備える乗客用シートのためのトレイテーブルが提供される。無孔カバーは、トレイテーブルの後方に着座した乗客に支持面を提供するために、パネルの頂部上に設けられており、一対のアームは、パネル構造体を、後方に着座した乗客の前方に配置されたシートに取り付けるために、パネル構造体に取り付けられている。
【００１２】
本発明の他の実施形態では、パネルの頂部に形成された多数の相互にオフセットした穴は円形であり、パネルの底部に形成された多数の相互にオフセットした穴が円形であり、パネルの頂部に形成された多数の相互にオフセットした穴、及び、パネルの底部に形成された多数の相互にオフセットした穴が、相互にオフセットした穴によって囲まれていない領域において、パネルの頂部と底部とを相互に連結している点在する複数の支持柱と交差してボイドを形成する。複数の支持柱は、断面において、パネルの頂部に形成された穴及びパネルの底部に形成された穴の円弧状の部分の形状及び位置に対応する円弧状の壁セグメントを画定する。
【００１３】
本発明の他の実施形態では、複数の柱のそれぞれは離間しており、複数の柱は、パネルの頂部に形成された穴及びパネルの底部に形成された穴の周縁部に配置されている。
【００１４】
本発明の他の実施形態では、パネルの頂部に形成された穴及びパネルの底部に形成された穴は、それぞれ、頂部パネル中間部分及び底部パネル中間部分を画定し、頂部パネル中間部分及び底部パネル中間部分が、それぞれパネルの頂部に形成された穴を互いに分離し、パネルの底部に形成された穴を互いに分離する。複数の柱は、さらに、中間ボイドを画定し、中間ボイドによってパネルの頂部に形成された穴とパネルの底部に形成された穴とが互いに連通する。
【００１５】
本発明の他の実施形態では、同じ形状及び同じ大きさである多数の相互にオフセットした穴がパネルの頂部及び底部のそれぞれに形成され、多数の相互にオフセットした穴は、相互にオフセットした穴によって囲まれていない領域において、パネルの頂部と底部とを相互に連結している点在する支持柱と交差してボイドを形成するパネルを形成する３次元一体形成格子パネル構造体を備える乗客用シートのためのトレイテーブルを提供する。パネルの頂部に形成された多数の相互にオフセットした穴は円形であり、パネルの底部に形成された多数の相互にオフセットした穴は円形である。パネルの頂部に形成された多数の相互にオフセットした穴、及び、パネルの底部に形成された相互にオフセットした穴は、相互にオフセットした穴によって囲まれていない領域において、パネルの頂部と底部とを相互に連結している点在する複数の支持柱と交差してボイドを形成する。支持柱は、断面において、パネルの頂部に形成された穴及びパネルの底部に形成された穴の円弧状の部分の形状及び位置に対応する円弧状の壁セグメントを画定する。無孔カバーは、トレイテーブルの後方に着座した乗客に支持面を提供するために、パネルの頂部上に設けられており、パネルの底部を収容する。一対のアームは、パネル構造体を、後方に着座した乗客の前方に配置されたシートに取り付けるために、パネル構造体に取り付けられている。
【００１６】
本発明の他の実施形態では、複数の柱のそれぞれは離間しており、複数の柱は、パネルの頂部に形成された穴及びパネルの底部に形成された穴の周縁部に配置されている。
【００１７】
本発明の他の実施形態では、パネルの頂部に形成された穴及びパネルの底部に形成された穴が、それぞれ、頂部パネル中間部分及び底部パネル中間部分を画定し、頂部パネル中間部分及び底部パネル中間部分が、それぞれパネルの頂部に形成された穴を互いに分離し、パネルの底部に形成された穴を互いに分離し、複数の柱は、さらに、中間ボイドを画定し、中間ボイドによってパネルの頂部に形成された穴とパネルの底部に形成された穴とが互いに連通する。
【００１８】
本発明の方法によると、パネル構造体は、パネル構造体の頂部に多数の穴を形成するステップと、パネル構造体の底部に多数の穴を形成するステップと、を含み、パネル構造体の底部の穴とパネル構造体の頂部の穴が、相互にかつ同心円状にオフセットし、相互にオフセットした穴によって囲まれていない領域において、パネルの頂部と底部とを相互に連結している点在する支持柱と交差してボイドを形成する、方法によって形成される。
【００１９】
本発明の他の実施形態では、頂部及び底部に穴を形成するステップは、円形穴、矩形穴、及び、六角形穴からなる群より選択される穴を形成するステップを含む。
【００２０】
本発明の他の実施形態では、頂部及び底部に穴を形成するステップは、同じ形状及び大きさの穴を形成するステップを含む。
【００２１】
本発明の他の実施形態では、格子パネルを形成するステップは、格子パネルを一体的に形成するステップを含む。
【００２２】
本発明の他の実施形態では、格子パネルが、航空機客室での使用に適応させたトレイテーブルアセンブリのテーブル構成要素である。
【００２３】
本発明は、添付の図面を参照しながら以下の本発明の詳細な説明を読むと最も良く理解される。
【図面の簡単な説明】
【００２４】
【図１】本発明の一実施形態による格子パネルから作製されたトレイテーブルを含む航空機乗客用シートの斜視図である。
【図２】図１に示されるトレイテーブルの格子パネルの上面図である。
【図３】格子パネルを形成するために材料が取り除かれる場所を示す斜視断面図である。
【図４】図１〜３の格子パネルの構造を示す上面概略図である。
【図５】格子を形成する穴が矩形である格子パネルの代替的構造を示す上面概略図である。
【図６】格子を形成する穴が六角形である格子パネルの別の代替的構造を示す上面概略図である。
【発明を実施するための形態】
【００２５】
ここで特に図面を参照すると、航空機乗客用シート１０が示される。航空機乗客用シート１０は、基部１２と、シート底部１４と、背もたれ１６と、ヘッドレスト１８と、アームレスト２０と、一対のアーム２４、２６に従来の手法で取り付けられたアームレスト２０及びトレイテーブル２２と、横材２８と、を備える。トレイテーブル２２は、薄いプラスチック製の無孔カバー３２が張られた、本発明の一実施形態による格子パネル３０を備える。トレイテーブル２２は、格子パネル３０の多くの用途の代表例であり、単に例として使用される。形成プロセスにおいてかなりの量の材料が除去されることから、強度及び剛性は維持しながらも重量は大幅に低減される。
【００２６】
図２及び図３に最も良く示されるように、格子パネル３０は、頂面３６にある規則的な配列の多数の穴３４から形成される。穴３４は、パネル３０の下面４０に形成された穴３８に対して穴３４がオフセットしている範囲以外において、パネル３０の厚みにわたって延在する。穴３８は示される状態で穴３４に対してオフセットし、図３に示される多数の離間した支持柱４２を残す。これにより、パネル３０に軽量及び剛性の両方を付与する。得られた構造体は３つの特徴的な態様、すなわち、穴３４と穴３８とが重なる位置における貫通ボイドと、穴３４と穴３８とが重ならない、頂部３６及び底部４０の厚さを有するオフセット領域と、パネル３０と一体であり、頂部３６の頂部表面から底部４０の底部表面まで延びる支持柱４２と、を有する。支持柱４２は、機械加工ツールの方向又は射出成形の延伸方向に直交する、すなわち、軸方向に相互に垂直である。
【００２７】
適切な用途においては、パネル３０はその厚さ全体に自由空気流を通すためにむき出しのままとすることができる。他の用途、例えば、図１のトレイテーブル２２においては、無孔構造を形成するために、パネル３０の片面又は両面にカバー３２などのカバーを設けてもよい。カバー３２は、接着剤、シュリンク包装、又は、他の適切な方法によって取り付けられてもよい。
【００２８】
上記の幾何学的形状を図４に更に示す。図４では、所望の３次元幾何学的形状を得るための２次元孔パターンが示される。実線は、頂部３６の穴３４を示し、破線は底部４０から作製された穴３８を示す。実線の輪郭又は破線の輪郭のいずれによっても囲まれていない領域は支持柱４２を示す。
【００２９】
格子パネル５２から作製されたトレイテーブル５０として説明する目的で、再度別の幾何学的形状を図５に示す。パネル５２にはパネル５２の頂部に穴５４（実線で示される）が形成され、穴５４はパネル５２の底部の穴５６（破線で示される）からオフセットしている。実線又は破線のいずれによっても囲まれていない領域は支持柱５８を示す。任意のカバー５９も示す。
【００３０】
格子パネル６２から作製されたトレイテーブル６０として説明する目的で、再度さらに別の幾何学的形状を図６に示す。パネル６２にはパネル６２の頂部に穴６４（実線で示される）が形成され、穴６４はパネル６２の底部の穴６６（破線で示される）からオフセットしている。実線又は破線のいずれによっても囲まれていない領域は支持柱６８を示す。任意のカバー７０も示す。
【００３１】
上述した構造体の３つの態様の形成を可能にする三角形、楕円形、五角形、八角形又は任意の他の適切な形状を含むが、これらに限定されない他の幾何学的形状を用いてもよい。格子パネル構造体の形成は特定の形成技術にとって重要ではなく、一体型のワンピース構造体を生じる形成技術が最適であると考えられるが、後に組み立てられて格子構造体を形成する２つ以上の別個の構成要素の形成も本発明の範囲内にある。
【００３２】
本明細書で使用する場合、用語「穴」は、円形又は非円形いずれかの形状若しくは外形を有し、構造体の厚みの一部分又は全体のいずれかにわたり延在する任意の開口、ボイド又は空洞を意味する。構造体は、成形、鋳造、機械加工、レーザ切断、３Ｄ印刷等などの任意の適切な製造プロセスによって作製され得る。
【００３３】
同様に、本出願において開示される実施形態は、各実施形態において、同じ形状及び大きさの穴を有する発明を示すものの、片面又は両面に異なる形状及び／又は大きさの穴の規則的な配列を有する格子も本発明の範囲内にある。
【００３４】
特定の実施形態及び例を参照しながら本発明による格子パネル構造体について記載してきた。本発明の種々の詳細は本発明の範囲から逸脱することなく変更してもよい。更に、本発明の好適な実施形態及び本発明を実施するための最良の態様の前述の記載は、単に説明する目的で提供され、限定する目的ではなく、本発明は特許請求の範囲によって定義される。
以下の項目は、国際出願時の特許請求の範囲に記載の要素である。
（項目１）
３次元格子パネル構造体であって、
多数の相互にオフセットした穴がパネルの各離間した頂部及び底部に形成され、
前記多数の相互にオフセットした穴は、前記相互にオフセットした穴によって囲まれていない領域において、前記パネルの前記頂部と前記底部とを相互に連結している点在する複数の支持柱と交差してボイドを形成する、３次元格子パネル構造体。
（項目２）
前記相互にオフセットした穴は、円形穴、矩形穴、及び、六角形穴からなる群より選択される、項目１に記載の３次元格子パネル構造体。
（項目３）
前記相互にオフセットした穴は、同じ形状及び大きさである、項目１に記載の３次元格子パネル構造体。
（項目４）
前記格子パネルは、一体的に形成される、項目１に記載の３次元格子パネル構造体。
（項目５）
乗客用シートのためのトレイテーブルであって、
（ａ）３次元格子パネル構造体であって、多数の相互にオフセットした穴がパネルの各離間した頂部及び底部に形成され、前記多数の相互にオフセットした穴は、前記相互にオフセットした穴によって囲まれていない領域において、前記パネルの前記頂部と前記底部とを相互に連結している点在する複数の支持柱と交差してボイドを形成する、３次元格子パネル構造体と、
（ｂ）前記トレイテーブルの後方に着座した乗客に支持面を提供するために、前記パネルの前記頂部上に設けられる無孔カバーと、
（ｃ）前記パネル構造体を、前記後方に着座した乗客の前方に配置されたシートに取り付けるために、前記パネル構造体に取り付けられている一対のアームと、
を備える、トレイテーブル。
（項目６）
前記相互にオフセットした穴は、円形穴、矩形穴、及び、六角形穴からなる群より選択される、項目５に記載のトレイテーブル。
（項目７）
前記相互にオフセットした穴は、同じ形状及び大きさである、項目５に記載のトレイテーブル。
（項目８）
前記格子パネルは、一体的に形成される、項目５に記載のトレイテーブル。
（項目９）
前記パネルの前記底部を収容する無孔カバーを備える、項目５に記載のトレイテーブル。
（項目１０）
（ａ）前記パネルの前記頂部に形成された前記相互にオフセットした穴は円形であり、
（ｂ）前記パネルの前記底部に形成された前記相互にオフセットした穴は円形であり、
（ｃ）前記パネルの前記頂部に形成された前記相互にオフセットした穴、及び、前記パネルの前記底部に形成された前記相互にオフセットした穴は、前記相互にオフセットした穴によって囲まれていない領域において、前記パネルの前記頂部と前記底部とを相互に連結している点在する複数の支持柱と交差してボイドを形成し、
（ｄ）前記支持柱は、断面において、前記パネルの前記頂部に形成された前記穴及び前記パネルの前記底部に形成された前記穴の円弧状の部分の形状及び位置に対応する円弧状の壁セグメントを画定する、
項目５に記載のトレイテーブル。
（項目１１）
前記複数の柱のそれぞれは、離間しており、
前記複数の柱は、前記パネルの前記頂部に形成された前記穴及び前記パネルの前記底部に形成された前記穴の周縁部に配置されている、項目１０に記載のトレイテーブル。
（項目１２）
前記パネルの前記頂部に形成された前記穴、及び、前記パネルの前記底部に形成された前記穴は、それぞれ、頂部パネル中間部分及び底部パネル中間部分を画定し、
前記頂部パネル中間部分は、前記パネルの前記頂部に形成された前記穴を互いに分離し、前記底部パネル中間部分は、前記パネルの前記底部に形成された前記穴を互いに分離し、
前記複数の柱は、さらに、中間ボイドを画定し、前記中間ボイドによって前記パネルの前記頂部に形成された前記穴と前記パネルの前記底部に形成された前記穴とが互いに連通する、項目１１に記載のトレイテーブル。
（項目１３）
乗客用シートのためのトレイテーブルであって、
（ａ）
同じ形状及び同じ大きさである多数の相互にオフセットした穴がパネルの頂部及び底部のそれぞれに形成され、前記多数の相互にオフセットした穴は、前記相互にオフセットした穴によって囲まれていない領域において、前記パネルの前記頂部と前記底部とを相互に連結している点在する複数の支持柱と交差してボイドを形成する、３次元一体形成格子パネル構造体であって、
（ｉ）前記パネルの前記頂部に形成された前記相互にオフセットした穴は円形であり、
（ｉｉ）前記パネルの前記底部に形成された前記相互にオフセットした穴は円形であり、
（ｉｉｉ）前記パネルの前記頂部に形成された前記相互にオフセットした穴、及び、前記パネルの前記底部に形成された前記相互にオフセットした穴は、前記相互にオフセットした穴によって囲まれていない領域において、前記パネルの前記頂部と前記底部とを相互に連結している点在する複数の支持柱と交差してボイドを形成し、
（ｉｖ）前記支持柱は、断面において、前記パネルの前記頂部に形成された前記穴及び前記パネルの前記底部に形成された前記穴の円弧状の部分の形状及び位置に合致する円弧状の壁セグメントを画定する、
前記３次元一体形成格子パネル構造体と、
（ｂ）前記トレイテーブルの後方に着座した乗客に支持面を提供するために、前記パネルの前記頂部上に設けられる無孔カバーと、
（ｃ）前記パネルの前記底部を収容する無孔カバーと、
（ｄ）前記パネル構造体を、前記後方に着座した乗客の前方に配置されたシートに取り付けるために、前記パネル構造体に取り付けられている一対のアームと、
を備える、トレイテーブル。
（項目１４）
前記複数の柱のそれぞれは、離間しており、
前記複数の柱は、前記パネルの前記頂部に形成された前記穴及び前記パネルの前記底部に形成された前記穴の周縁部に配置されている、項目１３に記載のトレイテーブル。
（項目１５）
前記パネルの前記頂部に形成された前記穴及び前記パネルの前記底部に形成された前記穴が、それぞれ、頂部パネル中間部分及び底部パネル中間部分を画定し、
前記頂部パネル中間部分及び底部パネル中間部分が、前記パネルの前記頂部に形成された前記穴を互いに分離し、前記パネルの前記底部に形成された前記穴を互いに分離し、
前記複数の柱は、さらに、中間ボイドを画定し、前記中間ボイドによって前記パネルの前記頂部に形成された前記穴と前記パネルの前記底部に形成された前記穴とが互いに連通する、項目１３に記載のトレイテーブル。
（項目１６）
パネル構造体を形成する方法であって、
（ａ）前記パネル構造体の頂部に多数の穴を形成するステップと、
（ｂ）前記パネル構造体の底部に多数の穴を形成するステップと、を備え、
前記パネル構造体の前記底部の前記穴と前記パネル構造体の前記頂部の前記穴が、相互にかつ同心円状にオフセットし、前記相互にオフセットした穴によって囲まれていない領域において、前記パネルの前記頂部と前記底部とを相互に連結している点在する複数の支持柱と交差してボイドを形成する、
パネル構造体を形成する方法。
（項目１７）
前記頂部及び前記底部に前記穴を形成する前記ステップは、円形穴、矩形穴、及び、六角形穴からなる群より選択される穴を形成するステップを備える、項目１６に記載の方法。
（項目１８）
前記頂部及び前記底部に前記穴を形成する前記ステップは、同じ形状及び大きさの穴を形成するステップを備える、項目１６に記載の方法。
（項目１９）
前記格子パネルを形成する前記ステップは、前記格子パネルを一体的に形成するステップを備える、項目１６に記載の方法。
（項目２０）
前記格子パネルは、航空機の客室での使用に適応させたトレイテーブルアセンブリのテーブル構成要素を備える、項目１６に記載の方法。
【図１】
0006343024.tif 000002
【図２】
0006343024.tif 000003
【図３】
0006343024.tif 000004
【図４】
0006343024.tif 000005
【図５】
0006343024.tif 000006
【図６】
0006343024.tif 000007